(57)【要約】【課題】回転体に電力を安定して供給することのできる感光体カートリッジを提供すること。【解決手段】  ドラムカートリッジ１は、左右方向に延びるドラム軸８６を中心に回転可能な感光ドラム２と、ドラム軸８６と平行な１次ローラ軸１２１を有し、前下方と後上方とを結ぶ方向において感光ドラム２に対向配置される１次ローラ６と、ドラム軸８６の端部と接触し、第３本体電極１９３から入力される電力を１次ローラ６に供給するように構成される１次電極１１７と、１次電極１１７を上下方向に案内するように構成される１次電極受入溝２０３を備えている。【選択図】図５
2015194571.tif 000002
【特許請求の範囲】
【請求項１】
第１方向に延びる第１回転軸を中心に回転可能な感光体と、
前記第１回転軸と平行な第２回転軸を有し、前記第１方向と直交する第２方向において前記感光体に対向配置される回転体と、
前記第１回転軸の端部と接触し、外部電極から入力される電力を前記回転体に供給するように構成される１次電極と、
前記１次電極を、前記第１方向と直交し、かつ、前記第２方向と交差する第３方向に案内するように構成されるガイドを備えている
ことを特徴とする、感光体カートリッジ。
【請求項２】
前記１次電極は、
前記第２回転軸を保持する軸保持部と、
前記外部電極と接触するように構成される接点部と
を備え、
前記接点部は、前記第１方向から見て、
略半円形状を有する曲線部と、
前記曲線部の両端部から連続し、次第に互いの幅が狭くなるように延びる２つの直線部と
を備えている
ことを特徴とする、請求項１に記載の感光体カートリッジ。
【請求項３】
前記曲線部は、前記ガイドと接触し、
２つの前記直線部は、前記ガイドから間隔を空けて配置されている
ことを特徴とする、請求項２に記載の感光体カートリッジ。
【請求項４】
前記１次電極は、前記第１方向から見たときに、回転しながら前記第３方向に移動することを特徴とする、請求項３に記載の感光体カートリッジ。
【請求項５】
前記１次電極は、導電性樹脂からなることを特徴とする、請求項１〜４のいずれか一項に記載の感光体カートリッジ。
【請求項６】
前記回転体を、前記感光体から前記第２方向に沿って離間させるように構成される離間機構をさらに備え、
前記１次電極は、前記離間機構により前記回転体が前記感光体から離間されるときに、前記第３方向に移動する
ことを特徴とする、請求項１〜５のいずれか一項に記載の感光体カートリッジ。
【請求項７】
前記感光体カートリッジは、前記第１方向と直交し、かつ、前記第２方向および前記第３方向の両方と交差する第４方向に沿って画像形成装置本体に着脱可能であることを特徴とする、請求項１〜６のいずれか一項に記載の感光体カートリッジ。
【請求項８】
前記直線部は、前記第４方向と交差する方向に沿って延びていることを特徴とする、請求項７に記載の感光体カートリッジ。
【請求項９】
前記回転体は、前記感光体の表面をクリーニングするように構成される第１クリーニング部材であることを特徴とする、請求項１〜８のいずれか一項に記載の感光体カートリッジ。
【請求項１０】
前記第１回転軸と平行な第３回転軸に対して回転可能であり、前記第１クリーニング部材に対して、前記第２方向から接触し、前記第１クリーニング部材の表面をクリーニングするように構成される第２クリーニング部材をさらに備えていることを特徴とする、請求項９に記載の感光体カートリッジ。
【請求項１１】
前記感光体を収容する第１フレーム、および、前記第１フレームと向かい合う第２フレームからなる筐体を備え、
前記ガイドは、前記第１フレームと前記第２フレームとの間において前記第３方向に沿って延びている
ことを特徴とする、請求項１〜１０のいずれか一項に記載の感光体カートリッジ。
【請求項１２】
前記第３回転軸と接触され、前記外部電極から入力される電力を前記第２クリーニング部材に供給するように構成される２次電極と、
前記第２回転軸および前記第３回転軸の両方を支持し、前記筐体に対して揺動可能である連結部材と
を備えている
ことを特徴とする、請求項１１に記載の感光体カートリッジ。
【請求項１３】
前記第１方向において、前記第１回転軸の前記１次電極と反対側に配置され、外部の駆動源から入力される駆動力を前記感光体および前記回転体に伝達する駆動伝達機構をさらに備え、
前記駆動伝達機構は、
前記第１方向における前記感光体の端部に配置され、前記第１回転軸を中心に回転可能な感光体ギアと、
前記第１方向における前記回転体の端部に配置され、前記第２回転軸を中心に回転可能な回転体ギアと、
前記感光体ギアと噛合する第１中間ギアと、
前記回転体ギアと噛合する第２中間ギアと、
前記第２中間ギアを含み、前記第１中間ギアからの駆動力を前記回転体ギアへ伝達するように構成されるオルダムカップリングと
を備えている
ことを特徴とする、請求項１〜１２のいずれか一項に記載の感光体カートリッジ。
【発明の詳細な説明】
【技術分野】
【０００１】
本発明は、電子写真方式が採用される画像形成装置に用いられる感光体カートリッジに関する。
【背景技術】
【０００２】
従来、画像形成装置に装着される感光体カートリッジとして、感光ドラムと、感光体の表面をクリーニングするクリーニングローラとを備える感光体カートリッジが知られている。
【０００３】
このような感光体カートリッジとして、感光ドラムの回転に対する、クリーニングローラの微動を吸収できるように、クリーニングローラの微動に追従するように移動可能な電極を備える感光体カートリッジが知られている（例えば、特許文献１参照）。
【先行技術文献】
【特許文献】
【０００４】
【特許文献１】特開２０１３−０５４０５７号公報
【発明の概要】
【発明が解決しようとする課題】
【０００５】
しかるに上記した特許文献１に記載の感光体カートリッジにおいて、クリーニングローラが感光ドラムに対して微動すると、クリーニングローラと同様の方向において、電極部材が追従し、移動する。
【０００６】
そうすると、クリーニングローラが感光ドラムに対して微動する方向において、電極部材と本体側の電極とが摺動し、電極部材に安定して電力を供給しにくくなるという不具合がある。
【０００７】
そこで、本発明の目的は、回転体に電力を安定して供給することのできる感光体カートリッジを提供することにある。
【課題を解決するための手段】
【０００８】
（１）本発明の感光体カートリッジは、第１方向に延びる第１回転軸を中心に回転可能な感光体と、第１回転軸と平行な第２回転軸を有し、第１方向と直交する第２方向において感光体に対向配置される回転体と、第１回転軸の端部と接触し、外部電極から入力される電力を回転体に供給するように構成される１次電極と、１次電極を、第１方向と直交し、かつ、第２方向と交差する第３方向に案内するように構成されるガイドを備えている。
【０００９】
このような構成によれば、回転体は、感光体に対して第２方向において対向配置されることにより、回転体が回転すると、第２方向に微動する場合がある。このとき、ガイドは、第３方向に沿って１次電極を案内するように構成されているので、１次電極が回転体の微動に追従して第２方向に移動することを規制する一方、１次電極の第３方向への移動を許容することができる。
【００１０】
そのため、１次電極が外部電極に対して第２方向にずれることを抑制することができる。
【００１１】
その結果、１次電極に対して第２方向へずれることなく外部電極を接触させて、回転体に対して安定した電力を供給することができる。
【００１２】
（２）また、１次電極は、第２回転軸を保持する軸保持部と、外部電極と接触するように構成される接点部とを備え、接点部は、第１方向から見て、略半円形状を有する曲線部と、曲線部の両端部から連続し、次第に互いの幅が狭くなるように延びる２つの直線部とを備えていてもよい。
【００１３】
このような構成によれば、１次電極は、曲線部において外部電極が接触される面積を大きく確保することができながら、２つの直線部が次第に幅が狭くなるように延びているので、１次電極に対する他部材の接触抵抗を低減することができる。
【００１４】
（３）また、曲線部は、ガイドと接触し、２つの直線部は、ガイドから間隔を空けて配置されていてもよい。
【００１５】
このような構成によれば、曲線部をガイドと接触させることにより、１次電極は、ガイドに円滑に案内される。
【００１６】
そのため、回転体が感光体に対して第２方向に微動した場合であっても、ガイドによって１次電極を第３方向に沿って円滑に案内することができる。
【００１７】
（４）また、１次電極は、第１方向から見たときに、回転しながら第３方向に移動してもよい。
【００１８】
このような構成によれば、１次電極が回転しながら第３方向に移動する場合であっても、曲線部をガイドに接触させながら、１次電極を安定して案内することができる。
【００１９】
（５）また、１次電極は、導電性樹脂からなってもよい。
【００２０】
このような構成によれば、１次電極を導電性樹脂から容易に成形することができながら、１次電極を介して、確実に回転体に電力を供給することができる。
【００２１】
（６）また、回転体を、感光体から第２方向に沿って離間させるように構成される離間機構をさらに備え、１次電極は、離間機構により回転体が感光体から離間されるときに、第３方向に移動してもよい。
【００２２】
このような構成によれば、離間機構によって、回転体を感光体から第２方向に沿って離間させて、感光体カートリッジをメンテナンスすることができる。
【００２３】
そのため、離間機構によって回転体を感光体から離間させるときに、回転体が第２方向に沿って移動することを許容することができながら、１次電極を第３方向に案内することができる。
【００２４】
（７）また、感光体カートリッジは、第１方向と直交し、かつ、第２方向および第３方向の両方と交差する第４方向に沿って画像形成装置本体に着脱可能であってもよい。
【００２５】
このような構成によれば、感光体カートリッジが画像形成装置本体に対して第４方向に沿って着脱されるときに、１次電極に対して、外部電極が第４方向に沿って横切るようにして接触される。
【００２６】
このとき、１次電極は、第４方向と交差する第３方向に沿って、ガイドに案内されるように構成されていることにより、第３方向への移動に対して、第４方向の移動が相対的に規制されている。
【００２７】
そのため、感光体カートリッジが画像形成装置本体に着脱されるときに、外部電極を１次電極に対して円滑に接触させることができる。
【００２８】
その結果、外部電極と１次電極とを確実に接触させることができるので、回転体に確実に電力を供給することができる。
【００２９】
（８）また、直線部は、第４方向と交差する方向に沿って延びていてもよい。
【００３０】
このような構成によれば、感光体カートリッジを第４方向に沿って画像形成装置本体に装着するときに、１次電極の直線部に対して、外部電極以外の部材を通過させることにより、円滑に１次電極上を通過させて、１次電極の摩耗を抑制することができる。また、外部電極の通過を妨げることがないので、外部電極が変形することを抑制することができる。
【００３１】
（９）また、感光体を収容する第１フレーム、および、第１フレームと向かい合う第２フレームからなる筐体を備え、ガイドは、第１フレームと第２フレームとの間において第３方向に沿って延びていてもよい。
【００３２】
このような構成によれば、ガイドを筐体における第１フレームと第２フレームとの間に配置できる。
【００３３】
そのため、第１フレームと第２フレームとを組み合わせるという簡易な構成により、容易にガイドを形成することができる。
【００３４】
（１０）また、回転体は、感光体の表面をクリーニングするように構成される第１クリーニング部材であってもよい。
【００３５】
このような構成によれば、回転体によって感光体の表面をクリーニングすることができる。
【００３６】
（１１）また、第１回転軸と平行な第３回転軸に対して回転可能であり、第１クリーニング部材に対して、第２方向から接触し、第１クリーニング部材の表面をクリーニングするように構成される第２クリーニング部材をさらに備えていてもよい。
【００３７】
このような構成によれば、第２クリーニング部材によって、紙粉回収性能の向上を図ることができる。
【００３８】
（１２）また、第３回転軸と接触され、外部電極から入力される電力を第２クリーニング部材に供給するように構成される２次電極と、第２回転軸および第３回転軸の両方を支持し、筐体に対して揺動可能である連結部材とを備えていてもよい。
【００３９】
このような構成によれば、連結部材によって、第１クリーニング部材と第２クリーニング部材との間の距離を一定に保つことができる。
【００４０】
そのため、第１クリーニング部材の表面を、第２クリーニング部材によって確実にクリーニングすることができる。
【００４１】
（１３）また、第１方向において、第１回転軸の１次電極と反対側に配置され、外部の駆動源から入力される駆動力を感光体および回転体に伝達する駆動伝達機構をさらに備え、駆動伝達機構は、第１方向における感光体の端部に配置され、第１回転軸を中心に回転可能な感光体ギアと、第１方向における回転体の端部に配置され、第２回転軸を中心に回転可能な回転体ギアと、感光体ギアと噛合する第１中間ギアと、回転体ギアと噛合する第２中間ギアと、第２中間ギアを含み、第１中間ギアからの駆動力を回転体ギアへ伝達するように構成されるオルダムカップリングとを備えていてもよい。
【００４２】
このような構成によれば、第１中間ギアからの駆動力を第１クリーニングギアへ伝達するように構成されるオルダムカップリングを備えていることにより、回転体が感光体に対して微動した場合であっても、外部の駆動源から入力される駆動力を回転体に安定して伝達することができる。
【発明の効果】
【００４３】
本発明の感光体カートリッジでは、回転体に電力を安定して供給することができる。
【図面の簡単な説明】
【００４４】
【図１】図１は、本発明の一実施形態としてのドラムカートリッジの中央断面図である。
【図２】図２は、図１に示すドラムカートリッジが使用される画像形成装置の中央断面図である。
【図３】図３は、図１に示すドラムカートリッジを左後方から見た斜視図である。
【図４】図４Ａは、図１に示すドラムカートリッジの後方部分の右側面図であって、離間レバーが第１位置に位置した状態を示す。図４Ｂは、図１に示すドラムカートリッジの後方部分の側断面図であって、離間レバーが第１位置に位置した状態を示す。
【図５】図５Ａは、図１に示すドラムカートリッジの後方部分の右側面図であって、離間レバーが第２位置に位置した状態を示す。図４Ｂは、図１に示すドラムカートリッジの後方部分の側断面図であって、離間レバーが第２位置に位置した状態を示す。
【図６】図６は、図４ＡのＡ−Ａ断面図である。
【図７】図７Ａは、図１に示すカバーフレームが取り外されたドラムカートリッジを右前方から見た斜視図である。図７Ｂは、図７Ａの１次ローラおよび２次ローラの両方の中心を通る断面図である。なお、図７Ｂでは、便宜的に、ベースフレームを省略している。
【図８】図８Ａは、図７Ａに示す１次電極および２次電極を右後方から見た斜視図である。図８Ｂは、図７Ａに示す１次電極および２次電極を左前方から見た斜視図である。
【図９】図９は、図３に示す駆動ユニットを左上方から見た分解斜視図である。
【図１０】図１０は、図３に示す駆動ユニットを右後方から見た分解斜視図である。なお、図１０では、便宜的にドラムフレームを省略している。
【図１１】図１１Ａは、図３に示す駆動ユニットを右方から見た側断面図である。図１１Ｂは、図１１Ａに示す駆動伝達機構を上方から見た平面図である。なお、図１１Ｂでは、便宜的に、ドラムフレームおよびギアホルダを省略している。
【図１２】図１２は、図１に示すドラムカートリッジを左後方から見た斜視図である。
【図１３】図１３Ａは、図１に示すドラムカートリッジの装置本体に対する装着動作を説明するための説明図であって、装着動作初期の状態を示す。図１３Ｂは、図１３Ａに引き続き、ドラムカートリッジの装置本体に対する装着動作を説明するための説明図であって、装着動作途中の状態を示す。
【図１４】図１４Ａは、図１３Ｂに引き続き、ドラムカートリッジの装置本体に対する装着動作を説明するための説明図であって、装着動作途中の状態を示す。図１４Ｂは、図１４Ａに引き続き、ドラムカートリッジの装置本体に対する装着動作を説明するための説明図であって、装着動作が完了した状態を示す。
【発明を実施するための形態】
【００４５】
１．ドラムカートリッジの概略
感光体カートリッジの一例としてのドラムカートリッジ１は、図１に示すように、平面視略枠形の有底枠形状を有している。ドラムカートリッジ１は、感光体の一例としての感光ドラム２と、帯電器の一例としてのスコロトロン型帯電器３と、転写ローラ４と、クリーニングユニット５とを備えている。
【００４６】
なお、以下の説明において、ドラムカートリッジ１の方向に言及するときには、感光ドラム２が配置されている方を、ドラムカートリッジ１の後方とし、その反対をドラムカートリッジ１の前方とする。また、ドラムカートリッジ１を前方から見たときを左右の基準とする。具体的には、ドラムカートリッジ１の方向に関し、各図に示した矢印方向を基準とする。
【００４７】
なお、図３に示すように、左右方向が第１方向の一例であり、図４Ｂに示すように、前下方および後上方を結ぶ方向、すなわち後述する１対のローラ軸ガイド２０１の延びる方向が第２方向の一例であり、図４Ａに示すように、上下方向が第３方向の一例であり、図１３Ａに示すように、前上方および後下方を結ぶ方向、すなわち、後述する装置本体１２に対するドラムカートリッジ１の着脱方向が第４方向の一例である。また、右方が第１方向の一方の一例であり、左方が第１方向の他方の一例である。
【００４８】
感光ドラム２は、左右方向に延びる略円筒形状を有している。感光ドラム２は、ドラムカートリッジ１の後端部に回転可能に支持されている。
【００４９】
スコロトロン型帯電器３は、感光ドラム２の上方において、感光ドラム２と間隔を空けて配置されている。
【００５０】
転写ローラ４は、感光ドラム２の下方に配置されている。転写ローラ４は、感光ドラム２の下端部と接触している。
【００５１】
クリーニングユニット５は、感光ドラム２の後方に配置されている。クリーニングユニット５は、第１クリーニング部材、クリーニングローラおよび回転体の一例としての１次ローラ６と、第２クリーニング部材の一例としての２次ローラ７と、スポンジクレーパ８と、貯留部９とを備えている。
【００５２】
１次ローラ６は、感光ドラム２の後上方に配置されている。１次ローラ６は、感光ドラム２の後上端部と接触している。
【００５３】
２次ローラ７は、１次ローラ６の後上方に配置されている。２次ローラ７は、１次ローラ６の後上端部と接触している。
【００５４】
スポンジクレーパ８は、２次ローラ７の上方に配置されている。スポンジクレーパ８は、２次ローラ７の上端部と接触している。
【００５５】
貯留部９は、前上方が開放された略ボックス形状を有している。貯留部９は、２次ローラ７の下方に配置されている。
【００５６】
２．ドラムカートリッジの使用態様
ドラムカートリッジ１は、図２に示すように、画像形成装置１１に装着されて使用される。
【００５７】
画像形成装置１１は、電子写真方式のモノクロプリンタである。画像形成装置１１は、画像形成装置本体の一例としての装置本体１２と、プロセスカートリッジ１３と、スキャナユニット１４と、定着ユニット１５とを備えている。
【００５８】
装置本体１２は、略ボックス形状を有している。装置本体１２は、開口部１６と、フロントカバー１７と、給紙トレイ１８と、排紙トレイ１９とを有している。
【００５９】
開口部１６は、装置本体１２の前端部に配置されている。開口部１６は、プロセスカートリッジ１３の通過を許容するように、装置本体１２の内外を前後方向に連通している。
【００６０】
フロントカバー１７は、装置本体１２の前端部に配置されている。フロントカバー１７は、略平板形状を有している。フロントカバー１７は、上下方向に延び、その下端部を支点として装置本体１２の前壁に揺動可能に支持されている。フロントカバー１７は、開口部１６を開放または閉鎖するように構成されている。
【００６１】
給紙トレイ１８は、装置本体１２の底部に配置されている。給紙トレイ１８は、用紙Ｐを収容するように構成されている。
【００６２】
排紙トレイ１９は、装置本体１２の上壁の前半分に配置されている。排紙トレイ１９は、用紙Ｐが載置されるように、装置本体１２の上面から下方へ凹んでいる。
【００６３】
プロセスカートリッジ１３は、装置本体１２の上下方向略中央に収容されている。プロセスカートリッジ１３は、開口部１６を介して装置本体１２に対して装着または離脱するように構成されている。プロセスカートリッジ１３は、上記したドラムカートリッジ１と、現像カートリッジ２０とを備えている。
【００６４】
現像カートリッジ２０は、感光ドラム２の前方において、ドラムカートリッジ１に装着されている。現像カートリッジ２０は、現像ローラ２１と、供給ローラ２２と、層厚規制ブレード２３と、トナー収容部２４とを備えている。
【００６５】
現像ローラ２１は、現像カートリッジ２０の後端部に回転可能に支持されている。現像ローラ２１は、左右方向に延びる略円柱形状を有している。現像ローラ２１は、感光ドラム２の前端部に接触している。
【００６６】
供給ローラ２２は、現像ローラ２１の前下方に配置されている。供給ローラ２２は、左右方向に延びる略円柱形状を有し、現像カートリッジ２０に回転可能に支持されている。供給ローラ２２は、現像ローラ２１の前下端部に接触している。
【００６７】
層厚規制ブレード２３は、現像ローラ２１の前上方に配置されている。層厚規制ブレード２３は、現像ローラ２１の前端部に接触している。
【００６８】
トナー収容部２４は、供給ローラ２２および層厚規制ブレード２３の前方に配置されている。トナー収容部２４は、トナーを収容するように構成されている。
【００６９】
スキャナユニット１４は、プロセスカートリッジ１３の上方に配置されている。スキャナユニット１４は、感光ドラム２に向けて画像データに基づくレーザービームを出射するように構成されている。
【００７０】
定着ユニット１５は、プロセスカートリッジ１３の後方に配置されている。定着ユニット１５は、加熱ローラ２６と、加熱ローラ２６の後下端部に圧接される加圧ローラ２７とを備えている。
【００７１】
画像形成装置１１が画像形成動作を開始すると、スコロトロン型帯電器３は、感光ドラム２の表面を一様に帯電する。スキャナユニット１４は、感光ドラム２の表面を露光する。これにより、画像データに基づく静電潜像が、感光ドラム２の表面に形成される。
【００７２】
供給ローラ２２は、トナー収容部２４内のトナーを現像ローラ２１に供給する。このとき、トナーは、現像ローラ２１と供給ローラ２２との間で正極性に摩擦帯電され、現像ローラ２１に担持される。層厚規制ブレード２３は、現像ローラ２１に担持されたトナーの層厚を一定厚さに規制する。
【００７３】
そして、現像ローラ２１に担持されたトナーは、感光ドラム２表面の静電潜像に供給される。これにより、トナー像が、感光ドラム２の表面に担持される。
【００７４】
用紙Ｐは、給紙トレイ１８から、各種ローラの回転により、所定のタイミングで１枚ずつ、感光ドラム２と転写ローラ４との間に給紙される。感光ドラム２表面のトナー像は、用紙Ｐが感光ドラム２と転写ローラ４との間を通過するときに、用紙Ｐに転写される。
【００７５】
その後、用紙Ｐは、加熱ローラ２６と加圧ローラ２７との間を通過するときに加熱および加圧される。これにより、用紙Ｐ上のトナー像は、用紙Ｐに熱定着される。その後、用紙Ｐは、排紙トレイ１９に排紙される。
【００７６】
また、１次ローラ６および２次ローラ７は、感光ドラム２の表面電位よりも高い正極性に帯電される。より詳しくは、２次ローラ７が１次ローラ６よりも高い正極性となるように帯電される。
【００７７】
そして、感光ドラム２上に付着している紙粉は、１次ローラ６と接触する際に、１次ローラ６上に回収される。すなわち、１次ローラ６は、感光ドラム２の表面をクリーニングしている。そして、１次ローラ６上に回収された紙粉は、２次ローラ７と接触する際に、２次ローラ７上に回収される。
【００７８】
その後、２次ローラ７上に回収された紙粉は、スポンジクレーパ８によって掻き取られ、貯留部９に貯留される。
【００７９】
３．ドラムカートリッジの詳細
ドラムカートリッジ１は、図１および図３に示すように、筐体の一例としてのドラムフレーム３１と、上記した感光ドラム２と、上記したスコロトロン型帯電器３と、上記した転写ローラ４と、上記したクリーニングユニット５と、駆動ユニット３２とを備えている。
【００８０】
（１）ドラムフレーム
ドラムフレーム３１は、図３に示すように、第１フレームの一例としてのベースフレーム３５と、第２フレームの一例としてのカバーフレーム３６とを備えている。
【００８１】
ベースフレーム３５は、平面視略矩形の有底枠形状を有している。ベースフレーム３５は、例えば、ポリスチレン（ＰＳ）などの樹脂材料からなる。ベースフレーム３５は、第１側壁の一例としてのベース右側壁３８と、第２側壁の一例としてのベース左側壁３９と、ベース下壁４０と、ベース後壁４１と、ベース前壁４２とを一体的に備えている。
【００８２】
ベース右側壁３８は、側面視略Ｌ字状の略板状を有している。ベース右側壁３８は、右壁後方部４５と、右壁前方部４６とを備えている。
【００８３】
右壁後方部４５は、図４Ａに示すように、ベース右側壁３８の後方部分を形成している。右壁後方部４５は、側面視略矩形の略板状を有している。右壁後方部４５の上面は、前下方および後上方を結ぶ方向に沿って延びている。右壁後方部４５は、図７Ａに示すように、第１ガイド溝４７と、第２ガイド溝４８と、受入部４９とを備えている。
【００８４】
第１ガイド溝４７は、図４Ａおよび図７Ａに示すように、右壁後方部４５の後端部における上面から、下方に向かって略Ｕ字状に窪んでいる。
【００８５】
第２ガイド溝４８は、第１ガイド溝４７よりも前方における右壁後方部４５の上面から、下方に向かって略Ｕ字状に窪んでいる。
【００８６】
受入部４９は、右壁後方部４５の前端部において、右壁後方部４５の上面から右壁後方部４５の上下方向略中央にかけて、右面よりも左方に向かって側面視略矩形状に凹んでいる。また、受入部４９の上方部分は、右壁後方部４５の上面よりも上方に向かって側面視略半円形状に突出している。受入部４９は、ベース側ドラム軸挿通穴５０を備えている。
【００８７】
ベース側ドラム軸挿通穴５０は、図６および図７Ａに示すように、受入部４９の上下前後方向略中央を側面視略円形状に貫通している。ベース側ドラム軸挿通穴５０の直径は、後述するドラム軸８６の直径よりもわずかに大きい。
【００８８】
右壁前方部４６は、図１に示すように、ベース右側壁３８の前方部分を形成している。右壁前方部４６は、右壁後方部４５の前下端部から前方に向かって延びる側面視略矩形の略板状を有している。
【００８９】
ベース左側壁３９は、図３に示すように、ベース右側壁３８から左方に間隔を空けて配置されている。ベース左側壁３９は、側面視略Ｌ字状の略板状を有している。ベース左側壁３９は、左壁後方部５１と、左壁前方部５２とを備えている。
【００９０】
左壁後方部５１は、ベース右側壁３８の後方部分を形成している。左壁後方部５１は、図９および図１２に示すように、平面視略クランク状を有している。左壁後方部５１は、第１部分５３と、第２部分５４と、第３部分５５とを備えている。
【００９１】
第１部分５３は、左壁後方部５１の前方部分を構成している。第１部分５３は、図９に示すように、側面視略矩形の略板状を有している。第１部分５３は、大径貫通穴５６を備えている。
【００９２】
大径貫通穴５６は、第１部分５３の側面視略中央を側面視略円形状に貫通している。大径貫通穴５６の直径は、ベース右側壁３８のベース側ドラム軸挿通穴５０の直径よりも大きい。なお、大径貫通穴５６の中心は、左右方向に投影したときに、ベース右側壁３８のベース側ドラム軸挿通穴５０の中心と一致している。
【００９３】
第２部分５４は、図９および図１２に示すように、左壁後方部５１の後方部分を構成している。第２部分５４は、第１部分５３よりも右方に配置されている。第２部分５４は、側面視略矩形の略板状を有している。第２部分５４は、第１係止部５７と、ベース側半円部５８とを備えている。
【００９４】
第１係止部５７は、第２部分５４の後端部から左方に向かって突出する正面視略矩形の略板状を有しており、その中央部分に、後述するギアホルダ１５１の第１係止爪１７９が係止可能な貫通穴を有している。
【００９５】
ベース側半円部５８は、第２部分５４の前後方向略中央部分における上面から、下方に向かって側面視略半円状に窪んでいる。
【００９６】
第３部分５５は、第１部分５３の後端部と、第２部分５４の前端部との間を架設している。第３部分５５は底面視略矩形の略板状を有している。
【００９７】
左壁前方部５２は、図３に示すように、ベース左側壁３９の前方部分を形成している。左壁前方部５２は、左壁後方部５１の前下端部から前方に向かって延びる側面視略矩形の略板状を有している。
【００９８】
ベース下壁４０は、その前方部分がベース右側壁３８の下端部と、ベース左側壁３９の下端部との間に架設されており、図１および図１２に示すように、その後方部分がベース右側壁３８の上下方向略中央部分とベース左側壁３９の上下方向略中央部分との間に架設されている。ベース下壁４０は、側断面視略クランク状であり、左右方向に延びる略板状を有している。ベース下壁４０は、図１および図４Ｂに示すように、転写ローラ支持部６１と、１対のベース側ガイドリブ６２とを備えている。
【００９９】
転写ローラ支持部６１は、ベース下壁４０の中央部のやや後方に配置されている。転写ローラ支持部６１は、ベース下壁４０において、下方に向かって窪む凹部であって、側面視略Ｕ字状を有している。転写ローラ支持部６１は、その内部において、転写ローラ４を回転可能な状態で収容している。
【０１００】
１対のベース側ガイドリブ６２は、図４Ｂに示すように、ベース下壁４０の後端部において、左右方向に間隔を空けて配置されている。１対のベース側ガイドリブ６２のそれぞれは、ベース下壁４０の左右両端部に配置されている。１対のベース側ガイドリブ６２のそれぞれは、ベース下壁４０の上面から上方に向かって突出する側面視略矩形の略板状を有している。１対のベース側ガイドリブ６２のそれぞれの上面は、前下方および後上方を結ぶ方向に沿って延びている。
【０１０１】
ベース後壁４１は、図１および図３に示すように、ベース右側壁３８の後端部と、ベース左側壁３９の後端部との間に架設されている。また、ベース後壁４１の下端部は、ベース下壁４０の後端部と連続している。ベース後壁４１は、背面視略矩形の略板状を有している。ベース後壁４１は、図４Ｂおよび図７Ａに示すように、１対の離間レバー支持ボス６３を備えている。
【０１０２】
１対の離間レバー支持ボス６３のそれぞれは、ベース下壁４０のベース側ガイドリブ６２よりも後上方であって、ベース後壁４１の上端の左右両端部に配置されている。１対の離間レバー支持ボス６３のそれぞれは、ベース後壁４１の左右方向両端部から、左右方向外方に向かって突出する略円柱形状を有している。
【０１０３】
ベース前壁４２は、図１および図３に示すように、ベース右側壁３８の前端部と、ベース左側壁３９の前端部との間に架設されている。また、ベース前壁４２の下端部は、ベース下壁４０の前端部と連続している。ベース前壁４２は、正面視略矩形の略板状を有している。
【０１０４】
カバーフレーム３６は、ベースフレーム３５の後端部の上方に、感光ドラム２を覆うように配置されている。カバーフレーム３６は、図４Ａおよび図９に示すように、カバー右側壁６５と、カバー左側壁６６と、カバー上壁６７とを一体的に備えている。
【０１０５】
カバー右側壁６５は、図４Ａに示すように、側面視略矩形の略板状を有している。カバー右側壁６５の下面は、前下方および後上方を結ぶ方向に沿って延びている。カバー右側壁６５は、第１切欠溝６９と、第２切欠溝７０と、突出部７１とを備えている。
【０１０６】
第１切欠溝６９は、カバー右側壁６５の後端部における下面から、上方に向かって略Ｕ字状に窪んでいる。
【０１０７】
第２切欠溝７０は、第１切欠溝６９よりも前方におけるカバー右側壁６５の下面から、上方に向かって略Ｕ字状に窪んでいる。
【０１０８】
突出部７１は、第２切欠溝７０よりも前方におけるカバー右側壁６５の下面から、下方に向かって突出する側面視略矩形の略板状を有している。突出部７１は、カバー側ドラム軸挿通穴７２を備えている。
【０１０９】
カバー側ドラム軸挿通穴７２は、突出部７１の上下前後方向略中央部分を、側面視略円形状に貫通している。カバー側ドラム軸挿通穴７２の直径は、後述するドラム軸８６の直径よりもわずかに大きい。
【０１１０】
カバー左側壁６６は、図９に示すように、側面視略矩形の略板状を有している。カバー左側壁６６は、第１位置決めボス７３と、第２位置決めボス７４と、カバー側半円部７５とを備えている。
【０１１１】
第１位置決めボス７３は、カバー左側壁６６の後端部における左面から左方に向かって突出する略円柱形状を有している。
【０１１２】
第２位置決めボス７４は、カバー左側壁６６の前端部における左面から左方に向かって突出する略円筒形状を有している。
【０１１３】
カバー側半円部７５は、第１位置決めボス７３よりも前方におけるカバー左側壁６６の下面から、上方に向かって側面視略半円状に窪んでいる。
【０１１４】
カバー上壁６７は、図１および図３に示すように、カバー右側壁６５の上端部と、カバー左側壁６６の上端部との間に架設されている。カバー上壁６７は、図１に示すように、帯電器支持部７７と、上壁後方部７８とを備えている。
【０１１５】
帯電器支持部７７は、カバー上壁６７の前方部分を構成している。帯電器支持部７７は、左右方向に延び、下方へ向かって開放される断面視略Ｕ字状を有している。帯電器支持部７７は、上記したスコロトロン型帯電器３を有している。
【０１１６】
上壁後方部７８は、カバー上壁６７の後方部分を構成している。上壁後方部７８は、左右方向に延びる平面視略矩形の略板状を有している。上壁後方部７８は、図４Ｂおよび図９に示すように、第２係止部８０と、１対のカバー側ガイドリブ８１とを備えている。
【０１１７】
第２係止部８０は、上壁後方部７８の左後端部に配置されている。第２係止部８０は、後述するギアホルダ１５１の第２係止爪１８０が係止可能に、上下方向に貫通している。
【０１１８】
１対のカバー側ガイドリブ８１は、図４Ｂに示すように、上壁後方部７８において、左右方向に間隔を空けて配置されている。１対のカバー側ガイドリブ８１のそれぞれは、上壁後方部７８の左右両端部に配置されている。１対のカバー側ガイドリブ８１のそれぞれは、上壁後方部７８の下面から下方に向かって突出する側面視略三角形状の略板状を有している。１対のカバー側ガイドリブ８１のそれぞれの下面は、前下方および後上方を結ぶ方向に沿って延びている。
【０１１９】
そして、図３に示すように、ベースフレーム３５に対して、カバーフレーム３６が組み付けられることにより、ドラムフレーム３１が構成されている。
【０１２０】
具体的には、カバーフレーム３６は、上下方向において、そのカバー右側壁６５がベース右側壁３８の右壁後方部４５と重なり、そのカバー左側壁６６がベース左側壁３９の左壁後方部５１と重なり、その上壁後方部７８の後端部がベース後壁４１と重なるようにして、組み付けられている。
【０１２１】
これにより、ドラムフレーム３１の右方においては、図４Ａおよび図６に示すように、ベース右側壁３８の右壁後方部４５の上端縁に対して、カバー右側壁６５の下端縁が接触されるとともに、カバー右側壁６５の突出部７１が、左右方向に投影したときに、ベース右側壁３８と重なっている。そして、ベース側ドラム軸挿通穴５０と、カバー側ドラム軸挿通穴７２とが左右方向で一致している。
【０１２２】
また、図４Ａに示すように、ベース右側壁３８の第１ガイド溝４７は、カバー右側壁６５の第１切欠溝６９と上下方向に向かい合っている。これにより、第１ガイド溝４７と第１切欠溝６９とから、後述する２次電極１１８の接触部１３８を受け入れ可能な２次電極受入溝２０２が構成されている。つまり、２次電極受入溝２０２は、ベースフレーム３５と、カバーフレーム３６との間から、上下方向に沿って延びている。
【０１２３】
また、ベース右側壁３８の第２ガイド溝４８は、カバー右側壁６５の第２切欠溝７０と上下方向に向かい合っている。これにより、第２ガイド溝４８と第２切欠溝７０とから、後述する１次電極１１７の接触部１３８を受け入れ可能なガイドの一例としての１次電極受入溝２０３が構成されている。つまり、１次電極受入溝２０３は、ベースフレーム３５と、カバーフレーム３６との間から、上下方向に沿って延びている。
【０１２４】
ドラムフレーム３１の左方においては、図６および図９に示すように、ベース左側壁３９の上端縁に対して、カバー左側壁６６の下端縁が接触されている。
【０１２５】
このとき、図９に示すように、ベース左側壁３９のベース側半円部５８は、カバー左側壁６６のカバー側半円部７５と上下方向に向かい合っている。これにより、ベース側半円部５８とカバー左側壁６６とから、後述するオルダムカップリング１５５が配置されるオルダムカップリング接続穴２００が構成されている。
【０１２６】
また、図４Ｂに示すように、ベース下壁４０の１対のベース側ガイドリブ６２のそれぞれの上面と、カバー上壁６７の１対のカバー側ガイドリブ８１の対応する下面とは、前上方および後下方を結ぶ方向に一定の間隔を空けて向かい合っている。これにより、１対のベース側ガイドリブ６２と、１対のカバー側ガイドリブ８１とから、１対のローラ軸ガイド２０１が構成されている。
【０１２７】
なお、このように構成されるドラムフレーム３１において、図１および図３に示すように、ベース右側壁３８の右壁後方部４５、ベース左側壁３９の左壁後方部５１、ベース下壁４０の後方部分、ベース後壁４１、および、カバーフレーム３６によって、感光ドラム２、および、クリーニングユニット５が収容可能な第１収容部２０４が画定されている。
【０１２８】
また、ドラムフレーム３１において、第１収容部２０４よりも前方部分、具体的には、ベースフレーム３５のベース右側壁３８の右壁前方部４６、ベース左側壁３９の左壁前方部５２、ベース下壁４０の前方部分、および、ベース前壁４２によって、現像カートリッジ２０が収容可能な第２収容部２０５が画定されている。
【０１２９】
（２）感光ドラム
感光ドラム２は、図６に示すように、ドラム本体８３と、押圧部材８４と、軸受部材８５と、第１回転軸の一例としてのドラム軸８６とを備えている。
【０１３０】
ドラム本体８３は、左右方向に延びる略円筒形状を有している。ドラム本体８３は、ベース右側壁３８と、ベース左側壁３９との間に配置されている。詳しくは、ドラム本体８３は、左右方向に延びる略円筒形状に形成される金属製の素管と、素管の表面を被覆する樹脂製の感光層とを備えている。
【０１３１】
押圧部材８４は、ドラム本体８３の右端部に配置されている。押圧部材８４は、右側ドラムフランジ８８と、摩擦部材８９と、圧縮ばね９０とを備えている。
【０１３２】
右側ドラムフランジ８８は、左端部が閉鎖された略円筒形状を有している。右側ドラムフランジ８８は、その外径がドラム本体８３の内径と略同じである。また、右側ドラムフランジ８８は、その閉鎖部分の中央部分に、ドラム軸８６が挿通可能な貫通穴を有している。右側ドラムフランジ８８は、ドラム本体８３の右端部に相対回転不能に固定されている。
【０１３３】
摩擦部材８９は、右端部が閉鎖された略円筒形状を有している。摩擦部材８９は、その外径が右側ドラムフランジ８８の内径よりもわずかに小さい。また、摩擦部材８９は、その閉鎖部分の中央部分に、ドラム軸８６が挿通可能な貫通穴を有している。摩擦部材８９は、右側ドラムフランジ８８の右端部内において、左右方向にスライド可能に嵌まっている。
【０１３４】
圧縮ばね９０は、左右方向に延びるコイルばねである。圧縮ばね９０は、右側ドラムフランジ８８の閉鎖部分と、摩擦部材８９の閉鎖部分との間に圧縮状態で配置されている。
【０１３５】
これにより、圧縮ばね９０は、摩擦部材８９を右方へ押圧するとともに、右側ドラムフランジ８８を介してドラム本体８３を左方へ押圧している。
【０１３６】
軸受部材８５は、ドラム本体８３の左端部に配置されている。軸受部材８５は、第１左側ドラムフランジ９１と、第２左側ドラムフランジ９２とを備えている。
【０１３７】
第１左側ドラムフランジ９１は、挿入部９３と、フランジギア９４とを一体的に備えている。
【０１３８】
挿入部９３は、左端部が閉鎖された略円筒形状を有している。挿入部９３は、その外径がドラム本体８３の内径と略同じである。挿入部９３は、その閉鎖部分の中央部分に、ドラム軸８６が挿通可能な貫通穴を有している。
【０１３９】
フランジギア９４は、挿入部９３の左端部から連続して左方に延びる略円筒形状を有している。フランジギア９４の外径は、挿入部９３の外径よりも大きい。
【０１４０】
第２左側ドラムフランジ９２は、例えば、ポリアセタール（ＰＯＭ）などの樹脂材料からなる。第２左側ドラムフランジ９２は、感光体ギアの一例としてのドラムギア９６と、円板部９７と、嵌合部９８と、内筒部９９とを一体的に備えている。
【０１４１】
ドラムギア９６は、左右方向に延びる略円筒形状を有している。ドラムギア９６の外径は、フランジギア９４の外径よりも大きい。
【０１４２】
円板部９７は、ドラムギア９６の左右方向略中央における内面から径方向内方へ延びる略円板形状を有している。
【０１４３】
嵌合部９８は、円板部９７の右面から右方に向かって突出する略円筒形状を有している。嵌合部９８の外径は、フランジギア９４の内径と略同じである。嵌合部９８の内径は、ドラム軸８６の直径、および、内筒部９９の外径よりも大きい。
【０１４４】
内筒部９９は、円板部９７の中央を左右方向に貫通する略円筒形状を有している。内筒部９９の外径は、ベース左側壁３９の大径貫通穴５６よりもわずかに小さい。内筒部９９の内径は、ドラム軸８６の外径と略同じである。そして、内筒部９９の左端部は、ドラムギア９６の左端部よりも左方まで延びている。
【０１４５】
ドラム軸８６は、感光ドラム２の径方向中心に沿って、左右方向に延びる略円柱形状を有している。ドラム軸８６は、押圧部材８４の貫通穴、および、軸受部材８５の内筒部９９に挿通されている。
【０１４６】
そして、感光ドラム２は、ドラム軸８６の右端部がカバー右側壁６５のカバー側ドラム軸挿通穴７２、および、ベース右側壁３８のベース側ドラム軸挿通穴５０に挿通され、ドラム軸８６の左端部がベース左側壁３９の大径貫通穴５６に挿通されることにより、ドラムフレーム３１の第１収容部２０４の前方部分に回転可能に収容されている。
【０１４７】
このとき、軸受部材８５の内筒部９９は、左右方向に投影したときに、ベース左側壁３９の大径貫通穴５６内に配置されている。
【０１４８】
（３）スコロトロン型帯電器
スコロトロン型帯電器３は、図１および図４Ｂに示すように、カバーフレーム３６の帯電器支持部７７に支持されることにより、上記したように、感光ドラム２の上方において、感光ドラム２と間隔を空けて配置されている。スコロトロン型帯電器３は、ワイヤの一例としての帯電ワイヤ１０１と、グリッド１０２と、ワイヤクリーナ１０３と、図４Ａに示すように、チャージ電極１０４と、グリッド電極１０５とを備えている。
【０１４９】
帯電ワイヤ１０１は、図１に示すように、カバー右側壁６５およびカバー左側壁６６に支持されることにより、左右方向に延びるように張設されている。帯電ワイヤ１０１は、感光ドラム２の上方に間隔を空けて配置されている。
【０１５０】
グリッド１０２は、上方に向かって開放される側面視略Ｕ字状を有している。グリッド１０２は、帯電ワイヤ１０１を下方から囲うように配置されている。
【０１５１】
ワイヤクリーナ１０３は、図４Ｂおよび図９に示すように、帯電器支持部７７の上端部において、左右方向にスライド可能に支持され、帯電ワイヤ１０１をクリーニング可能に構成されている。ワイヤクリーナ１０３は、平面視略矩形の略板状を有している。ワイヤクリーナ１０３は、クリーニング部１０６と、係止突起１０７とを有している。
【０１５２】
クリーニング部１０６は、図４Ｂに示すように、グリッド１０２内に配置されている。クリーニング部１０６は、スポンジや不織布などの清掃部材によって帯電ワイヤ１０１を挟持しており、帯電ワイヤ１０１に沿って移動可能である。
【０１５３】
係止突起１０７は、図９に示すように、クリーニング部１０６の左端部における前後方向略中央から、左方に向かって突出している。
【０１５４】
チャージ電極１０４は、図４Ａに示すように、帯電ワイヤ１０１と電気的に接続されている。チャージ電極１０４は、カバーフレーム３６のカバー左側壁６６の前端部から露出されている。
【０１５５】
グリッド電極１０５は、グリッド１０２と電気的に接続されている。グリッド電極１０５は、カバーフレーム３６のカバー左側壁６６の前後方向略中央部分から露出されている。
【０１５６】
（４）クリーニングユニット
クリーニングユニット５は、図１および図４Ｂに示すように、上記した１次ローラ６と、上記した２次ローラ７と、上記したスポンジクレーパ８と、上記した貯留部９と、連結部材の一例としての１対のベアリング１１４と、１対の付勢部材１１５と、離間機構の一例としての１対の離間レバー１１６と、１次電極１１７と、２次電極１１８とを備えている。
【０１５７】
１次ローラ６は、クリーニングユニット５の前端部に配置されている。１次ローラ６は第２回転軸の一例としての１次ローラ軸１２１と、１次ローラ本体１２２とを備えている。
【０１５８】
１次ローラ軸１２１は、左右方向に延びる略円柱形状を有している。１次ローラ軸１２１の直径は、ローラ軸ガイド２０１の幅よりも小さい。１次ローラ軸１２１の左右両端部は、１対のローラ軸ガイド２０１のそれぞれに左右方向内方から挿通されている。
【０１５９】
１次ローラ本体１２２は、１次ローラ軸１２１の左右方向略中央部分を被覆する略円筒形状を有している。１次ローラ本体１２２の前下端部は、感光ドラム２の後上端部と接触している。
【０１６０】
２次ローラ７は、１次ローラ６の後上方に配置されている。２次ローラ７は、第３回転軸の一例としての２次ローラ軸１２４と、２次ローラ本体１２５とから一体的に形成されている。
【０１６１】
２次ローラ軸１２４は、左右方向に延びる略円柱形状を有している。２次ローラ軸１２４の直径は、１次ローラ軸１２１の直径およびローラ軸ガイド２０１の幅よりも小さい。２次ローラ軸１２４の左右両端部は、１対のローラ軸ガイド２０１のそれぞれに左右方向内方から挿通されている。
【０１６２】
２次ローラ本体１２５は、２次ローラ軸１２４の左右方向略中央部分から、２次ローラ軸１２４の径方向外方に向かって膨出している。２次ローラ本体１２５の直径は、２次ローラ軸１２４の直径よりも大きい。
【０１６３】
１対のベアリング１１４のそれぞれは、対応するローラ軸ガイド２０１内に配置されている。ベアリング１１４は、図７Ａおよび図７Ｂに示すように、１次ローラ軸挿通部１２７と、２次ローラ軸挿通部１２８と、連結部１２９とを備えている。
【０１６４】
１次ローラ軸挿通部１２７は、左右方向に延びる略円筒形状を有している。１次ローラ軸挿通部１２７の内径は、１次ローラ軸１２１の外径と略同じである。
【０１６５】
２次ローラ軸挿通部１２８は、１次ローラ軸挿通部１２７の後上方に配置されている。２次ローラ軸挿通部１２８は、左右方向に延びる略円筒形状を有している。２次ローラ軸挿通部１２８は、凸部１３０を備えている。
【０１６６】
凸部１３０は、２次ローラ軸挿通部１２８の後上端部から、後上方に向かって突出する略円柱形状を有している。
【０１６７】
連結部１２９は、１次ローラ軸挿通部１２７の前下端部と、２次ローラ軸挿通部１２８の後上端部とを連結している。連結部１２９は、前下方および後上方を結ぶ方向に沿って延びる略角柱形状を有している。
【０１６８】
そして、１対のベアリング１１４の１次ローラ軸挿通部１２７のそれぞれに１次ローラ軸１２１が挿通されることにより、１対のベアリング１１４は、１次ローラ６を回転可能に支持している。また、１対のベアリング１１４の２次ローラ軸挿通部１２８のそれぞれに２次ローラ軸１２４が挿通されることにより、１対のベアリング１１４は、２次ローラ７を回転可能に支持している。
【０１６９】
こうして、１対のベアリング１１４は、対応する１対のローラ軸ガイド２０１内において、１次ローラ６および２次ローラ７を回転可能に支持している。
【０１７０】
つまり、１対のベアリング１１４は、１次ローラ６および２次ローラ７とともに、前下方および後上方を結ぶ方向に沿って移動可能に構成されている。
【０１７１】
付勢部材１１５は、前下方および後上方を結ぶ方向に延びるコイルばねである。１対の付勢部材１１５のそれぞれは、その前下端部が対応するベアリング１１４の凸部１３０に嵌められ、その後上端部がベースフレーム３５のベース後壁４１の上端部内面に接触している。
【０１７２】
これにより、付勢部材１１５は、ベアリング１１４を前下方へ付勢している。つまり、付勢部材１１５は、１次ローラ６が感光ドラム２に接触するように、１次ローラ６を感光ドラム２に向けて付勢するように構成されている。
【０１７３】
１対の離間レバー１１６のそれぞれは、図３に示すように、ドラムフレーム３１の左右方向両端部に配置されている。離間レバー１１６は、図４Ｂおよび図７Ａに示すように、基端部１３２と、フック１３３と、把持部１３４とを備えている。
【０１７４】
基端部１３２は、側面視略鈍角三角形の略板状を有している。基端部１３２は、側面視において、後上端部に鈍角部分が位置している。基端部１３２は、係合穴１３５を備えている。
【０１７５】
係合穴１３５は、側面視において、基端部１３２の鈍角部分に位置しており、基端部１３２を側面視略円形状に貫通している。係合穴１３５の直径は、ベース後壁４１の離間レバー支持ボス６３の直径と略同じである。
【０１７６】
フック１３３は、側面視において、基端部１３２の前端部に連続している。フック１３３は、側面視略半円環形状の略鉤形状を有している。フック１３３は、側面視において、基端部１３２の前端部から下方に向かって湾曲しながら突出している。フック１３３の内面の曲率半径は、２次ローラ軸１２４の直径よりもやや大きい。
【０１７７】
把持部１３４は、側面視において、基端部１３２の後端部に連続している。すなわち、把持部１３４は、係合穴１３５に対して、フック１３３と反対側に位置している。把持部１３４は、平面視において、基端部１３２と直交する背面視略矩形の略板状を有している。
【０１７８】
そして、１対の離間レバー１１６のそれぞれは、その係合穴１３５がベース後壁４１の対応する離間レバー支持ボス６３に嵌まることにより、離間レバー支持ボス６３を支点として回動可能である。
【０１７９】
具体的には、離間レバー１１６は、図４Ｂに示すように、把持部１３４がベース後壁４１の後面に沿い、フック１３３がベアリング１１４の２次ローラ軸挿通部１２８の上方に間隔を空けて位置する第１位置と、図５Ｂに示すように、把持部１３４がベース後壁４１から離間し、フック１３３がベアリング１１４の２次ローラ軸挿通部１２８に引っかかる第２位置とに回動可能である。
【０１８０】
図４Ｂに示すように、１対の離間レバー１１６が第１位置に位置することによって、１対のベアリング１１４は、１対の付勢部材１１５によって、前下方に向けて付勢された状態となり、１次ローラ６が感光ドラム２の後上端部に接触する。また、図５Ｂに示すように、１対の離間レバー１１６が第２位置に位置することによって、１対のベアリング１１４は、１対の付勢部材１１５の付勢力に抗して、前下方から後上方に引き上げられ、１次ローラ６が感光ドラム２から離間する。１対の離間レバー１１６は、図４Ｂに示すように、常には、第１位置に位置している。
【０１８１】
１次電極１１７は、図７Ａに示すように、クリーニングユニット５の右端部に配置されている。１次電極１１７は、導電性樹脂からなる。１次電極１１７は、後述する装置本体１２の第３本体電極１９３と電気的に接続されることにより、１次ローラ６に１次クリーニングバイアスを供給するように構成されている。１次電極１１７は、図８Ａおよび図８Ｂに示すように、軸保持部の一例としてのローラ軸支持部１３７と、接触部１３８と、連結板１３９とを備えている。
【０１８２】
ローラ軸支持部１３７は、右端部が閉鎖された略円筒形状を有している。ローラ軸支持部１３７の内径は、１次ローラ軸１２１の直径と略同じである。
【０１８３】
接触部１３８は、右端部が閉鎖された側面視略雫形の略筒形状を有している。接触部１３８の外周面の下端部であって、側面視略半円形状部分が、曲線部１４０として画定されている。また、接触部１３８の外周面において、曲線部１４０の前端部から後上方に向かって延びる部分が直線部の一例としての第１直線部１４１として画定され、曲線部１４０の後端部から前上方に向かって延びる部分が直線部の一例としての第２直線部１４２として画定されている。第１直線部１４１と第２直線部１４２とは、上方に向かうにつれて互いの幅が狭くなるように延び、連結されている。これにより、第１直線部１４１の上端部と、第２直線部１４２の上端部とは連続している。
【０１８４】
連結板１３９は、ローラ軸支持部１３７の右下端部と、接触部１３８の左上端部とを連結している。連結板１３９は、側面視略矩形の略板状を有している。
【０１８５】
そして、１次電極１１７は、図７Ａおよび図７Ｂに示すように、そのローラ軸支持部１３７が１次ローラ軸１２１の左端部を回転可能に受け入れ、図４Ａに示すように、その接触部１３８が１次電極受入溝２０３内に配置されている。
【０１８６】
１次電極１１７の接触部１３８は、１対の離間レバー１１６が第１位置に位置しているとき、すなわち、１次ローラ６が感光ドラム２の後上端部に接触しているときには、１次電極受入溝２０３内において相対的に下方となるように配置されている。
【０１８７】
このとき、１次電極１１７の曲線部１４０は、１次電極受入溝２０３の下端部における内面と接触している。１次電極１１７の第１直線部１４１および第２直線部１４２は、１次電極受入溝２０３の内面と接触せず、１次電極受入溝２０３の内面から間隔を空けて配置されている。
【０１８８】
また、１次電極１１７の接触部１３８は、１対の離間レバー１１６が第１位置から第２位置に移動するとき、すなわち、１次ローラ６が感光ドラム２から離間されるときには、右側面視において、略時計回りとなるようにわずかに回転しながら、１次電極受入溝２０３内を上方に移動する。
【０１８９】
このとき、１次電極１１７の曲線部１４０は、１次電極受入溝２０３の前端部における内面と接触している。１次電極１１７の第１直線部１４１および第２直線部１４２は、１次電極受入溝２０３の内面と接触せず、１次電極受入溝２０３の内面から間隔を空けて配置されている。
【０１９０】
このように、１次電極１１７は、１対の離間レバー１１６が第１位置と第２位置との間を移動することにより、側面視において、わずかに回転しながら１次電極受入溝２０３内を上下方向に沿って移動する。つまり、１次電極１１７は、１次ローラ６が移動する前下方および後上方を結ぶ方向と交差する方向に沿って、わずかに回転しながら移動する。
【０１９１】
２次電極１１８は、図７Ａに示すように、クリーニングユニット５の右端部であって、１次電極１１７の前下方に配置されている。２次電極１１８は、導電性樹脂からなる。２次電極１１８は、後述する装置本体１２の第４本体電極１９４と電気的に接続されることにより、２次ローラ７に２次クリーニングバイアスを供給するように構成されている。２次電極１１８は、図８Ａおよび図８Ｂに示すように、ローラ軸支持部１４４と、接触部１４５と、連結板１４６とを備えている。
【０１９２】
ローラ軸支持部１４４は、右端部が閉鎖された略円筒形状を有している。ローラ軸支持部１４４の内径は、２次ローラ軸１２４の直径と略同じである。
【０１９３】
接触部１４５は、右端部が閉鎖された側面視略雫形の略円筒形状を有している。接触部１４５の外周面の下端部であって、側面視略半円形状部分が、曲線部１４７として画定されている。また、接触部１３８の外周面において、曲線部１４７の前端部から後上方に向かって延びる部分が第１直線部１４８として画定され、曲線部１４７の後端部から前上方に向かって延びる部分が第２直線部１４９として画定されている。第１直線部１４８と第２直線部１４９とは、上方に向かうにつれて互いの幅が狭くなるように延び、連結されている。これにより、第１直線部１４８の上端部と、第２直線部１４９の上端部とは連続している。
【０１９４】
連結板１４６は、ローラ軸支持部１４４の右下端部と、接触部１４５の左上端部とを連結している。連結板１４６は、側面視略矩形の略板状を有している。連結板１４６の上下方向寸法は、１次電極１１７の連結板１３９の上下方向寸法よりも短い。
【０１９５】
そして、２次電極１１８は、図７Ａおよび図７Ｂに示すように、そのローラ軸支持部１４４が２次ローラ軸１２４の左端部を回転可能に受け入れ、図４Ａに示すように、その接触部１４５が２次電極受入溝２０２内に配置されている。
【０１９６】
２次電極１１８の接触部１４５は、１対の離間レバー１１６が第１位置に位置しているとき、すなわち、１次ローラ６が感光ドラム２の後端部に接触されているときには、２次電極受入溝２０２内において相対的に下方となるように配置されている。
【０１９７】
このとき、２次電極１１８の曲線部１４７は、２次電極受入溝２０２の下端部における内面と接触している。２次電極１１８の第１直線部１４８および第２直線部１４９は、２次電極受入溝２０２の内面と接触せず、２次電極受入溝２０２の内面から間隔を空けて配置されている。
【０１９８】
また、２次電極１１８の接触部１４５は、１対の離間レバー１１６が第１位置から第２位置に移動するとき、すなわち、１次ローラ６が感光ドラム２から離間され、２次ローラ７が１次ローラ６とともに後上方に移動するときには、右側面視において、略時計回りとなるようにわずかに回転しながら、２次電極受入溝２０２内を上方に移動する。
【０１９９】
このとき、２次電極１１８の曲線部１４７は、２次電極受入溝２０２の前端部における内面と接触している。２次電極１１８の第１直線部１４８および第２直線部１４９は、２次電極受入溝２０２の内面と接触せず、２次電極受入溝２０２の内面から間隔を空けて配置されている。
【０２００】
このように、２次電極１１８は、１対の離間レバー１１６が第１位置と第２位置との間を移動することにより、側面視において、わずかに回転しながら２次電極受入溝２０２内を上下方向に沿って移動する。つまり、２次電極１１８は、２次ローラ７が移動する前下方および後上方を結ぶ方向と交差する方向に沿って、わずかに回転しながら移動する。
【０２０１】
つまり、２次電極１１８は、２次電極受入溝２０２内において、１次電極受入溝２０３内における１次電極１１７と略同一の挙動をする。
【０２０２】
（５）駆動ユニット
駆動ユニット３２は、図９および図１０に示すように、ドラムカートリッジ１の左端部に配置されている。駆動ユニット３２は、駆動伝達機構１５０と、支持部材および接触部材の一例としてのギアホルダ１５１とを備えている。
【０２０３】
（５−１）駆動伝達機構
駆動伝達機構１５０は、外部の駆動源の一例としての装置本体１２の図示しない駆動源から入力される駆動力を感光ドラム２、および、１次ローラ６に伝達するように構成されている。駆動伝達機構１５０は、上記したフランジギア９４と、上記したドラムギア９６と、中間ギアおよび第１中間ギアの一例としての第１アイドルギア１５４と、オルダムカップリング１５５と、第１クリーニングギアおよびクリーニングギアの一例としての１次ローラギア１５６と、図６に示すように、転写ローラギア１５７とから構成されている。
【０２０４】
フランジギア９４は、ドラム本体８３の左端部において、ドラム本体８３に対して相対回転不能に支持されている。フランジギア９４は、図１２に示すように、ベース左側壁３９の左壁後方部５１の第２部分５４よりも右方に配置されている。
【０２０５】
ドラムギア９６は、図６および図１２に示すように、フランジギア９４に対して、相対回転不能に嵌まっている。ドラムギア９６は、左右方向において、ベース左側壁３９の左壁後方部５１の第１部分５３および第２部分５４の間に配置されている。ドラムギア９６の後下端部は、ドラムフレーム３１から露出されており、装置本体１２の図示しない駆動ギアと噛合している。これにより、ドラムギア９６には、装置本体１２の図示しない駆動ギアを介して、図示しない駆動源からの駆動力が伝達されるように構成されている。つまり、ドラムギア９６は、装置本体１２の図示しない駆動源から伝達される駆動力を感光ドラム２に入力するように構成されている。ドラムギア９６は、図１１Ａに示すように、右側面視反時計回りに回転する。
【０２０６】
第１アイドルギア１５４は、図９および図１０に示すように、左右方向に延びる略円筒形状を有している。第１アイドルギア１５４の前下端部は、図１１Ａおよび図１１Ｂに示すように、ドラムギア９６の後上端部と噛合している。第１アイドルギア１５４は、図１１Ａに示すように、右側面視時計回りに回転する。
【０２０７】
オルダムカップリング１５５は、図９および図１０に示すように、大径ハブ１６０と、小径ハブ１６１と、スライダ１６２とを備えている。
【０２０８】
大径ハブ１６０は、オルダムカップリング１５５の左方部分を構成している。大径ハブ１６０は、中間ギアおよび第３中間ギアの一例としての第２アイドルギア１６４と、閉塞部１６５と、大径ハブ側突条部１６６と、貫通穴１６７とを一体的に備えている。
【０２０９】
第２アイドルギア１６４は、左右方向に延びる略円筒形状を有している。第２アイドルギア１６４の直径は、ドラムギア９６の外径よりも小さく、第１アイドルギア１５４の外径よりも大きい。第２アイドルギア１６４の前端部は、図１１Ａおよび図１１Ｂに示すように、第１アイドルギア１５４の後端部と噛合している。第２アイドルギア１６４は、図１１Ａに示すように、右側面視反時計回りに回転する。
【０２１０】
閉塞部１６５は、図９および図１０に示すように、側面視略円形の略板状を有しており、第２アイドルギア１６４の左端部を閉塞している。
【０２１１】
大径ハブ側突条部１６６は、図１０に示すように、閉塞部１６５の右面から右方に向かって突出している。大径ハブ側突条部１６６は、閉塞部１６５の径方向に沿って延びる略突条を有している。
【０２１２】
貫通穴１６７は、図９および図１０に示すように、閉塞部１６５および大径ハブ側突条部１６６の側面視略中央を側面視略円形状に貫通している。
【０２１３】
小径ハブ１６１は、オルダムカップリング１５５の右方部分を構成している。小径ハブ１６１は、中間ギア、第２中間ギアおよび第２クリーニングギアの一例としての２次ローラギア１６８と、円板部１６９と、小径ハブ側突状部１７０とを一体的に備えている。
【０２１４】
２次ローラギア１６８は、小径ハブ１６１の右方部分を構成し、左右方向に延びる略円筒形状を有している。２次ローラギア１６８の直径は、第２アイドルギア１６４の直径よりも小さい。２次ローラギア１６８は、２次ローラ軸１２４の左端部に相対回転不能に取り付けられている。つまり、２次ローラギア１６８は、装置本体１２の図示しない駆動源から伝達される駆動力を２次ローラ７に入力するように構成されている。
【０２１５】
円板部１６９は、２次ローラギア１６８の左右方向略中央部分を構成している。円板部１６９は、２次ローラギア１６８の左方に隣接配置されている。円板部１６９は、２次ローラギア１６８と同一の中心軸線を有する略円板形状を有している。円板部１６９の直径は、２次ローラギア１６８の直径よりも大きく、第２アイドルギア１６４の直径よりも小さい。
【０２１６】
小径ハブ側突状部１７０は、２次ローラギア１６８の右方部分を構成している。小径ハブ側突状部１７０は、円板部１６９の左面から左方に向かって突出し、円板部１６９の径方向に沿って延びる略突条を有している。
【０２１７】
スライダ１６２は、大径ハブ１６０と小径ハブ１６１との間に配置されている。スライダ１６２は、左右方向に延びる略円柱形状を有している。スライダ１６２は、大径ハブ側溝１７２と、小径ハブ側溝１７３とを備えている。
【０２１８】
大径ハブ側溝１７２は、スライダ１６２の左面から右方に向かって凹む溝であって、スライダ１６２の径方向に沿って延びている。大径ハブ側溝１７２の幅は、大径ハブ側突条部１６６の幅よりもやや大きい。
【０２１９】
小径ハブ側溝１７３は、スライダ１６２の右面から左方に向かって凹む溝であって、スライダ１６２の径方向に沿って延びている。小径ハブ側溝１７３の幅は、小径ハブ１６１の小径ハブ側突状部１７０の幅よりもやや大きい。小径ハブ側溝１７３は、左右方向に投影したときに、大径ハブ側溝１７２と直交している。
【０２２０】
そして、スライダ１６２の大径ハブ側溝１７２が、大径ハブ１６０の大径ハブ側突条部１６６を受け入れ、スライダ１６２の小径ハブ側溝１７３が、小径ハブ１６１の小径ハブ側突状部１７０を受け入れることにより、オルダムカップリング１５５が構成されている。つまり、オルダムカップリング１５５は、複数の中間ギアの一例としての第２アイドルギア１６４および２次ローラギア１６８を含むように構成されている。
【０２２１】
これにより、第２アイドルギア１６４と２次ローラギア１６８とは、スライダ１６２が大径ハブ側突条部１６６、および、小径ハブ側突状部１７０に対してスライド移動することにより、軸中心がずれた状態であっても、連動して回転する。そのため、第２アイドルギア１６４に入力された駆動力が確実に２次ローラギア１６８に伝達される。２次ローラギア１６８は、図１１Ａに示すように、第２アイドルギア１６４と同様に、右側面視反時計回りに回転する。
【０２２２】
なお、オルダムカップリング１５５は、オルダムカップリング接続穴２００を介して、ドラムフレーム３１の第１収容部２０４の内外に跨って配置されている。
【０２２３】
１次ローラギア１５６は、図１０および図１１Ｂに示すように、左右方向に延びる略円筒形状を有している。１次ローラギア１５６の直径は、２次ローラギア１６８の直径よりも大きい。１次ローラギア１５６は、１次ローラ軸１２１の左端部に相対回転不能に取り付けられている。１次ローラギア１５６は、図１１Ａおよび図１１Ｂに示すように、前下方および後上方を結ぶ方向において、ドラムギア９６と、オルダムカップリング１５５との間に配置されている。また、１次ローラギア１５６の前上端部は、左右方向から見て、第１アイドルギア１５４の後下端部と重なっている。１次ローラギア１５６後上端部は、２次ローラギア１６８の前下端部と噛合している。つまり、１次ローラギア１５６は、装置本体１２の図示しない駆動源から伝達される駆動力を１次ローラ６に入力するように構成されている。１次ローラギア１５６は、図１１Ａに示すように、右側面視時計回りに回転する。
【０２２４】
転写ローラギア１５７は、図６に示すように、転写ローラ４の左端部に配置されている。転写ローラギア１５７は、左右方向に延びる略円筒形状を有している。転写ローラギア１５７の上端部は、フランジギア９４の下端部と噛合している。
【０２２５】
（５−２）ギアホルダ
ギアホルダ１５１は、図９および図１０に示すように、ドラムフレーム３１とは別体として構成されており、駆動ユニット３２において駆動伝達機構１５０の左方に配置されている。ギアホルダ１５１は、側面視略矩形の略板状を有している。ギアホルダ１５１は、例えば、アクリロニトリル−ブタジエン−スチレン（ＡＢＳ）などの樹脂材料、または、金属からなる。ギアホルダ１５１を形成する材料は、第２左側ドラムフランジ９２を形成する材料（ＰＯＭ）に対する耐熱性、および、耐摩耗性が、ベースフレーム３５を形成する材料（ＰＳ）よりも良好である。ギアホルダ１５１は、係合挿通部の一例としてのドラム軸支持部１７６と、第１突起の一例としての第１アイドルギア支持部１７７と、第２突起の一例としての大径ハブ支持部１７８と、第１係合爪の一例としての第１係止爪１７９と、第２係合爪の一例としての第２係止爪１８０と、第１ボス穴１８１と、第２ボス穴１８２と、係合部の一例としてのワイヤクリーナ係止部１８３とを備えている。
【０２２６】
ドラム軸支持部１７６は、ギアホルダ１５１の前下端部における右面から、右方に向かって突出する略円筒形状を有している。ドラム軸支持部１７６の外径は、ベースフレーム３５のベース左側壁３９の大径貫通穴５６の直径と略同じである。ドラム軸支持部１７６の内径は、ドラム軸８６の直径と略同じである。
【０２２７】
第１アイドルギア支持部１７７は、ギアホルダ１５１の前後方向略中央であって、ドラム軸支持部１７６の後上方に配置されている。第１アイドルギア支持部１７７は、ギアホルダ１５１の右面から右方に向かって突出する略円柱形状を有している。ドラム軸支持部１７６の直径は、第１アイドルギア１５４の内径と略同じである。
【０２２８】
大径ハブ支持部１７８は、ギアホルダ１５１の後方部分における上下方向略中央であって、第１アイドルギア支持部１７７の後下方に配置されている。大径ハブ支持部１７８は、ギアホルダ１５１の右面から右方に向かって突出する略円柱形状を有している。大径ハブ支持部１７８の直径は、大径ハブ１６０の貫通穴１６７の直径と略同じである。
【０２２９】
第１係止爪１７９は、ギアホルダ１５１の後下端部であって、大径ハブ支持部１７８の後下方に配置されている。第１係止爪１７９は、ギアホルダ１５１の右面から右方に向かって突出し、その右端部から後方に向かって屈曲する略爪形状を有している。
【０２３０】
第２係止爪１８０は、ギアホルダ１５１の前後方向略中央であって、第１アイドルギア支持部１７７の後上方、かつ、大径ハブ支持部１７８の前上方に配置されている。第２係止爪１８０は、ギアホルダ１５１の右面から右方に向かって突出し、その右端部から上方に向かって屈曲する略爪形状を有している。
【０２３１】
第１ボス穴１８１は、ギアホルダ１５１の後上端部に配置されている。第１ボス穴１８１は、ギアホルダ１５１を、側面視略長穴形状に貫通している。
【０２３２】
第２ボス穴１８２は、ギアホルダ１５１の前上端部に配置されている。第２ボス穴１８２は、ギアホルダ１５１を側面視略円形状に貫通している。
【０２３３】
ワイヤクリーナ係止部１８３は、ギアホルダ１５１の上端部であって、第２ボス穴１８２と第１アイドルギア支持部１７７との間に配置されている。ワイヤクリーナ係止部１８３は、ギアホルダ１５１を側飯略矩形状に貫通している。
【０２３４】
そして、ギアホルダ１５１は、ドラムフレーム３１に対して、左方から組み付けられており、駆動伝達機構１５０を被覆している。
【０２３５】
具体的には、ギアホルダ１５１は、第１アイドルギア支持部１７７が第１アイドルギア１５４内に挿通され、大径ハブ支持部１７８がオルダムカップリング１５５の大径ハブ１６０の貫通穴１６７に挿通されることにより、第１アイドルギア１５４と、第２アイドルギア１６４を備える大径ハブ１６０とを支持している。
【０２３６】
また、ドラム軸支持部１７６は、ベースフレーム３５のベース左側壁３９の大径貫通穴５６に挿通され、係合されるとともに、感光ドラム２のドラム軸８６が挿通されている。
【０２３７】
ドラム軸支持部１７６の右端部は、左壁後方部５１の第１部分５３の右面と略面一である。これにより、ドラム軸支持部１７６の右端部は、軸受部材８５の第２左側ドラムフランジ９２の内筒部９９の左端部と接触するように構成されている。
【０２３８】
また、第１ボス穴１８１がカバーフレーム３６のカバー左側壁６６の第１位置決めボス７３を受け入れ、第２ボス穴１８２がカバーフレーム３６のカバー左側壁６６の第２位置決めボス７４を受け入れていることにより、ギアホルダ１５１は、ドラムフレーム３１に対して位置決めされている。
【０２３９】
そして、第１係止爪１７９が、ベース左側壁３９の左壁後方部５１の第２部分５４の第１係止部５７に対して係止され、第２係止爪１８０が、カバーフレーム３６のカバー上壁６７の上壁後方部７８の第２係止部８０に対して係止されている。つまり、ギアホルダ１５１は、ベースフレーム３５とカバーフレーム３６とを連結している。
【０２４０】
こうして、ギアホルダ１５１は、駆動伝達機構１５０を保護するようにして、ドラムフレーム３１に対して組み付けられている。
【０２４１】
なお、ギアホルダ１５１の下方部分は、図６に示すように、左右方向に投影したときに、ベース左側壁３９の上方部分と重なっている。
【０２４２】
なお、スコロトロン型帯電器３のワイヤクリーナ１０３は、左端部に配置されているときには、ワイヤクリーナ１０３の係止突起１０７が、ワイヤクリーナ係止部１８３と係合される。
【０２４３】
これにより、ワイヤクリーナ１０３を使用しない場合には、ワイヤクリーナ１０３が位置固定される。
【０２４４】
（５−３）駆動源からの駆動の伝達
図１１Ａおよび図１１Ｂに示すように、ドラムギア９６に対して、装置本体１２の図示しない駆動ギアからの駆動力が伝達されると、ドラムギア９６は、右側面視反時計回りに回転する。そして、ドラムギア９６は、第１アイドルギア１５４に対して、その駆動力を伝達する。
【０２４５】
第１アイドルギア１５４に対して、ドラムギア９６からの駆動力が伝達されると、第１アイドルギア１５４は、右側面視時計回りに回転する。そして、第１アイドルギア１５４は、オルダムカップリング１５５の大径ハブ１６０の第２アイドルギア１６４に対して、その駆動力を伝達する。
【０２４６】
オルダムカップリング１５５において、大径ハブ１６０の第２アイドルギア１６４に対して、第１アイドルギア１５４からの駆動力が伝達されると、大径ハブ１６０は、右側面視反時計回りに回転する。大径ハブ１６０は、スライダ１６２を介して、小径ハブ１６１に対して、その駆動力を伝達する。
【０２４７】
小径ハブ１６１に対して、大径ハブ１６０からの駆動力が伝達されると、小径ハブ１６１の２次ローラギア１６８は、第２アイドルギア１６４と同様に、右側面視反時計回りに回転する。そして、小径ハブ１６１の２次ローラギア１６８は、１次ローラギア１５６に対して、その駆動力を伝達する。
【０２４８】
１次ローラギア１５６に対して、１次ローラギア１５６からの駆動力が伝達されると、１次ローラギア１５６は、右側面視時計回りに回転する。
【０２４９】
これにより、ドラムギア９６に駆動力が入力されることにより回転する感光ドラム２は、右側面視反時計回りに回転し、１次ローラギア１５６に駆動力が入力されることにより回転する１次ローラ６は、右側面視時計回りに回転する。つまり、感光ドラム２と１次ローラ６とは、接触位置において、同一方向に回転するように構成されている。
【０２５０】
こうして、駆動伝達機構１５０の第１アイドルギア１５４、第２アイドルギア１６４、および、２次ローラギア１６８を介して、ドラムギア９６の回転数に対する１次ローラギア１５６の回転数が減速され、感光ドラム２に対する１次ローラ６の周速比は、約０．３となる。すなわち、第１アイドルギア１５４、第２アイドルギア１６４、および、２次ローラギア１６８は、減速機構を構成している。
【０２５１】
また、感光ドラム２が左方に押圧されながら回転することにより、感光ドラム２の内筒部９９の左端面は、駆動伝達機構１５０のドラム軸支持部１７６の右端面に対して摺擦される。
【０２５２】
このとき、ポリアセタール（ＰＯＭ）からなる第２左側ドラムフランジ９２の内筒部９９と、アクリロニトリル−ブタジエン−スチレン（ＡＢＳ）からなるギアホルダ１５１のドラム軸支持部１７６との摺動表面が摩擦発熱によって変形もしくは溶融する限界値は、ポリアセタール（ＰＯＭ）からなる第２左側ドラムフランジ９２の内筒部９９と、ポリスチレン（ＰＳ）からなるドラムフレーム３１のベースフレーム３５のベース左側壁３９との摺動表面が摩擦発熱によって変形もしくは溶融する限界値よりも高い。
【０２５３】
４．装置本体の詳細
装置本体１２は、図１４Ｂに示すように、外部電極の一例としての第１本体電極１９１と、外部電極の一例としての第２本体電極１９２と、外部電極の一例としての第３本体電極１９３と、外部電極の一例としての第４本体電極１９４とを備えている。
【０２５４】
第１本体電極１９１は、ドラムカートリッジ１が装置本体１２に装着された状態において、チャージ電極１０４と左右方向において接触するように配置されている。
【０２５５】
第２本体電極１９２は、ドラムカートリッジ１が装置本体１２に装着された状態において、グリッド電極１０５と左右方向において接触するように配置されている。
【０２５６】
第３本体電極１９３は、ドラムカートリッジ１が装置本体１２に装着された状態において、１次電極１１７の接触部１３８と左右方向において接触するように配置されている。
【０２５７】
第４本体電極１９４は、ドラムカートリッジ１が装置本体１２に装着された状態において、２次電極１１８の接触部１４５と左右方向において接触するように配置されている。
【０２５８】
第１本体電極１９１、第２本体電極１９２、第３本体電極１９３、および、第４本体電極１９４は、左右方向に変位可能に構成され、常には、左方に向かって付勢されている。第１本体電極１９１、第２本体電極１９２、第３本体電極１９３、および、第４本体電極１９４は、装置本体１２に備えられる図示しない電源に電気的に接続されている。
【０２５９】
５．ドラムカートリッジの装置本体への装着
次に、ドラムカートリッジ１の装置本体１２に対する装着動作について説明する。
【０２６０】
ドラムカートリッジ１を装置本体１２に装着するには、図２に示すように、まず、作業者が、ドラムカートリッジ１の第２収容部２０５に対して、現像カートリッジ２０を収容し、プロセスカートリッジ１３を構成する。
【０２６１】
次いで、フロントカバー１７を開放し、開口部１６を介して、プロセスカートリッジ１３を、装置本体１２に対して前上方から挿入する。
【０２６２】
すると、図１３Ａに示すように、第１本体電極１９１は、カバー右側壁６５の右面に摺擦されながら、グリッド電極１０５の下方に位置するように、ドラムカートリッジ１に対して前上方に移動する。
【０２６３】
また、第２本体電極１９２は、ベース右側壁３８の右面、および、カバー右側壁６５の右面に摺擦されながら、２次電極１１８の接触部１４５の曲線部１４７の後方に位置するように、ドラムカートリッジ１に対して前上方に移動する。
【０２６４】
また、第３本体電極１９３、および、第４本体電極１９４は、ベース右側壁３８と接触せず、ドラムカートリッジ１の後方に位置している。
【０２６５】
次いで、プロセスカートリッジ１３をさらに装置本体１２内に押し込むと、図１３Ｂに示すように、第１本体電極１９１は、カバー右側壁６５の右面に摺擦されながら、グリッド電極１０５の後方に位置するように、ドラムカートリッジ１に対して前上方に移動する。
【０２６６】
また、第２本体電極１９２は、２次電極１１８の接触部１４５に対して、曲線部１４７から乗り上げ、摺擦されながら、２次電極１１８の接触部１４５の右面上に位置するように、ドラムカートリッジ１に対して前上方に移動する。
【０２６７】
また、第３本体電極１９３は、ベース右側壁３８の右面に摺擦されながら、ベース右側壁３８の後下端部に位置するように、ドラムカートリッジ１に対して前上方に移動する。
【０２６８】
また、第４本体電極１９４は、ベース右側壁３８と接触せず、ドラムカートリッジ１の後方に位置している。
【０２６９】
次いで、プロセスカートリッジ１３をさらに装置本体１２内に押し込むと、図１４Ａに示すように、第１本体電極１９１は、カバー右側壁６５の右面に摺擦されながら、チャージ電極１０４の後方に位置するように、ドラムカートリッジ１に対して前上方に移動する。
【０２７０】
また、第２本体電極１９２は、２次電極１１８の接触部１４５を越えて、カバー右側壁６５の右面に摺擦されながら、グリッド電極１０５の後方に位置するように、ドラムカートリッジ１に対して前上方に移動する。
【０２７１】
また、第３本体電極１９３は、ベース右側壁３８の右面に摺擦されながら、１次電極１１７の接触部１３８の曲線部１４０の後方に位置するように、ドラムカートリッジ１に対して前上方に移動する。
【０２７２】
また、第４本体電極１９４は、ベース右側壁３８の右面、および、カバー右側壁６５の右面に摺擦されながら、２次電極１１８の接触部１４５の曲線部１４７の後方に位置するように、ドラムカートリッジ１に対して前上方に移動する。
【０２７３】
次いで、プロセスカートリッジ１３をさらに装置本体１２内に押し込むと、図１４Ｂに示すように、第１本体電極１９１は、カバー右側壁６５の右面に摺擦されながら、ドラムカートリッジ１に対して前上方に移動し、チャージ電極１０４に対して、右方から接触する。
【０２７４】
また、第２本体電極１９２は、カバー右側壁６５の右面に摺擦されながら、ドラムカートリッジ１に対して前上方に移動し、グリッド電極１０５に対して、右方から接触する。
【０２７５】
また、第３本体電極１９３は、１次電極１１７の接触部１３８に対して、曲線部１４０から乗り上げ、摺擦されながら、ドラムカートリッジ１に対して前上方に移動し、１次電極１１７の接触部１３８に対して、右方から接触する。
【０２７６】
また、第４本体電極１９４は、２次電極１１８の接触部１４５に対して、曲線部１４７から乗り上げ、摺擦されながら、ドラムカートリッジ１に対して前上方に移動し、２次電極１１８の接触部１４５に対して、右方から接触する。
【０２７７】
以上により、プロセスカートリッジ１３の装置本体１２に対する装着が完了する。
【０２７８】
また、ドラムカートリッジ１を装置本体１２から離脱させるには、上記した装着動作と逆の手順で操作する。
【０２７９】
具体的には、図２に示すように、作業者が、フロントカバー１７を開放し、開口部１６を介して、プロセスカートリッジ１３を前上方に引き出し、プロセスカートリッジ１３から現像カートリッジ２０を離脱させることによって、ドラムカートリッジ１の装置本体１２からの離脱動作が完了する。
【０２８０】
６．作用効果
（１）このドラムカートリッジ１によれば、図１および図４Ｂに示すように、１次ローラ６は、感光ドラム２に対して前下方と後上方とを結ぶ方向において対向配置されることにより、１次ローラ６が回転すると、前下方と後上方とを結ぶ方向に微動する場合がある。このとき、図４Ａおよび図５Ａに示すように、１次電極受入溝２０３は、上下方向に沿って１次電極１１７を案内するように構成されているので、１次電極１１７が１次ローラ６の微動に追従して前下方と後上方とを結ぶ方向に移動することを規制する一方、１次電極１１７の上下方向への移動を許容することができる。
【０２８１】
そのため、図１４Ｂに示すように、１次電極１１７が第３本体電極１９３に対して前下方と後上方とを結ぶ方向にずれることを抑制することができる。
【０２８２】
その結果、１次電極１１７に対して前下方と後上方とを結ぶ方向へずれることなく第３本体電極１９３を接触させて、１次ローラ６に対して安定した電力を供給することができる。また、１次ローラ６の製造段階における公差や、使用時の摩耗などにより、１次ローラ本体１２２の径が変化し、１次電極１１７の位置が動いたとしても、１次ローラ６に対して安定した電力を供給することができる。
【０２８３】
（２）また、このドラムカートリッジ１によれば、図４Ａおよび図１４Ｂに示すように、１次電極１１７は、曲線部１４０において第３本体電極１９３が接触される面積を大きく確保することができながら、第１直線部１４１と第２直線部１４２とが次第に幅が狭くなるように延びているので、１次電極１１７に対する他部材の接触抵抗を低減することができる。
【０２８４】
（３）また、このドラムカートリッジ１によれば、図４Ａおよび図５Ａに示すように、曲線部１４０を１次電極受入溝２０３と接触させることにより、１次電極１１７は、１次電極受入溝２０３に円滑に案内される。
【０２８５】
そのため、１次ローラ６が感光ドラム２に対して前下方と後上方とを結ぶ方向に微動した場合であっても、１次電極受入溝２０３によって１次電極１１７を上下方向に沿って円滑に案内することができる。
【０２８６】
（４）また、このドラムカートリッジ１によれば、図４Ａおよび図５Ａに示すように、１次電極１１７が回転しながら上下方向に移動する場合であっても、曲線部１４０を１次電極受入溝２０３に接触させながら、１次電極１１７を安定して案内することができる。
【０２８７】
（５）また、このドラムカートリッジ１によれば、図７Ｂおよび図８Ａに示すように、１次電極１１７を導電性樹脂から容易に成形することができながら、１次電極１１７を介して、確実に１次ローラ６に電力を供給することができる。
【０２８８】
（６）また、このドラムカートリッジ１によれば、図４Ｂおよび図５Ｂに示すように、１対の離間レバー１１６によって、１次ローラ６を感光ドラム２から前下方と後上方とを結ぶ方向に沿って離間させて、ドラムカートリッジ１をメンテナンスすることができる。
【０２８９】
そのため、１対の離間レバー１１６によって１次ローラ６を感光ドラム２から離間させるときに、１次ローラ６が前下方と後上方とを結ぶ方向に沿って移動することを許容することができながら、図４Ａおよび図５Ａに示すように、１次電極１１７を上下方向に案内することができる。
【０２９０】
（７）また、このドラムカートリッジ１によれば、図１３Ａ〜図１４Ｂに示すように、ドラムカートリッジ１が装置本体１２に対して前上方と後下方とを結ぶ方向に沿って着脱されるときに、１次電極１１７に対して、第３本体電極１９３が前上方と後下方とを結ぶ方向に沿って横切るようにして接触される。
【０２９１】
このとき、１次電極１１７は、上下方向に沿って、１次電極受入溝２０３に案内されるように構成されていることにより、上下方向への移動に対して、前上方と後下方とを結ぶ方向の移動が相対的に規制されている。
【０２９２】
そのため、ドラムカートリッジ１が装置本体１２に着脱されるときに、第３本体電極１９３を１次電極１１７に対して円滑に接触させることができる。
【０２９３】
その結果、第３本体電極１９３と１次電極１１７とを確実に接触させることができるので、１次ローラ６に確実に電力を供給することができる。
【０２９４】
（８）また、このドラムカートリッジ１によれば、図１３Ａ〜図１４Ｂに示すように、ドラムカートリッジ１を前上方と後下方とを結ぶ方向に沿って装置本体１２に装着するときに、１次電極１１７の第１直線部１４１と第２直線部１４２に対して、第３本体電極１９３以外の部材を通過させることにより、円滑に１次電極１１７上を通過させて、１次電極１１７の摩耗を抑制することができる。また、第３本体電極１９３の通過を妨げることがないので、第３本体電極１９３が変形することを抑制することができる。
【０２９５】
（９）また、このドラムカートリッジ１によれば、図４Ａおよび図７Ａに示すように、１次電極受入溝２０３をドラムフレーム３１におけるベースフレーム３５とカバーフレーム３６との間に配置できる。
【０２９６】
そのため、ベースフレーム３５とカバーフレーム３６とを組み合わせるという簡易な構成により、容易に１次電極受入溝２０３を形成することができる。
【０２９７】
（１０）また、このドラムカートリッジ１によれば、図１に示すように、１次ローラ６によって感光ドラム２の表面をクリーニングすることができる。
【０２９８】
（１１）また、このドラムカートリッジ１によれば、図１に示すように、１次ローラ６の表面をクリーニングするように構成される２次ローラ７をさらに備えているので、２次ローラ７によって、紙粉回収性能の向上を図ることができる。
【０２９９】
（１２）また、このドラムカートリッジ１によれば、図７Ｂおよび図１０に示すように、１対のベアリング１１４によって、１次ローラ６と２次ローラ７との間の距離を一定に保つことができる。
【０３００】
そのため、１次ローラ６の表面を、２次ローラ７によって確実にクリーニングすることができる。
【０３０１】
（１３）また、このドラムカートリッジ１によれば、図９および図１０に示すように、第１アイドルギア１５４からの駆動力を１次ローラギア１５６へ伝達するように構成されるオルダムカップリング１５５を備えていることにより、１次ローラ６が感光ドラム２に対して微動した場合であっても、図示しない駆動源から入力される駆動力を１次ローラ６に安定して伝達することができる。
【符号の説明】
【０３０２】
１      ドラムカートリッジ
２      感光ドラム
３      スコロトロン型帯電器
６      １次ローラ
７      ２次ローラ
１２    装置本体
３１    ドラムフレーム
３５    ベースフレーム
３６    カバーフレーム
３８    ベース右側壁
３９    ベース左側壁
８３    ドラム本体
８４    押圧部材
８５    軸受部材
８６    ドラム軸
９６    ドラムギア
１０１  帯電ワイヤ
１０３  ワイヤクリーナ
１１４  ベアリング
１１６  離間レバー
１１７  １次電極
１１８  ２次電極
１２１  １次ローラ軸
１２４  ２次ローラ軸
１３７  ローラ軸支持部
１３８  接触部
１４０  曲線部
１４１  第１直線部
１４２  第２直線部
１５０  駆動伝達機構
１５１  ギアホルダ
１５４  第１アイドルギア
１５５  オルダムカップリング
１５６  １次ローラギア
１６４  第２アイドルギア
１６８  ２次ローラギア
１７６  ドラム軸支持部
１７７  第１アイドルギア支持部
１７８  大径ハブ支持部
１７９  第１係止爪
１８０  第２係止爪
１８３  ワイヤクリーナ係止部
１９３  第３本体電極
１９４  第４本体電極
２０３  １次電極受入溝
【図１】
2015194571.tif 000003
【図２】
2015194571.tif 000004
【図３】
2015194571.tif 000005
【図４】
2015194571.tif 000006
【図５】
2015194571.tif 000007
【図６】
2015194571.tif 000008
【図７】
2015194571.tif 000009
【図８】
2015194571.tif 000010
【図９】
2015194571.tif 000011
【図１０】
2015194571.tif 000012
【図１１】
2015194571.tif 000013
【図１２】
2015194571.tif 000014
【図１３】
2015194571.tif 000015
【図１４】
2015194571.tif 000016